(57)【要約】【課題】複数のインペラを有する送風機を提供すること。【解決手段】送風機は、２つの駆動装置と、それぞれ２つの駆動装置に取り付けられた２つのインペラとを有する。２つのインペラのブレードは、半径方向または軸方向に配置されて、送風機の放熱効率を高めるように重ねられる。【選択図】  図１Ａ
2004169681.tif 000002
【特許請求の範囲】
【請求項１】
複数のインペラを有する送風機であって、少なくとも２つのインペラを有し、隣接した前記２つのインペラのブレードが互いに重なり合う送風機。
【請求項２】
前記隣接した２つのインペラの前記ブレードは、軸方向に重なり合う請求項１記載の送風機。
【請求項３】
前記隣接した２つのインペラの前記ブレードは、半径方向に重なり合う請求項１記載の送風機。
【請求項４】
前記隣接した２つのインペラの前記ブレードは、斜めに重なり合う請求項１記載の送風機。
【請求項５】
前記隣接した２つのインペラの回転方向が同一である請求項１記載の送風機。
【請求項６】
前記隣接した２つのインペラの回転方向が逆である請求項１記載の送風機。
【請求項７】
さらに、前記インペラを駆動するために少なくとも１つの駆動手段を有する請求項１記載の送風機。
【発明の詳細な説明】
【０００１】
【発明の属する技術分野】
本発明は、送風機に関する。特に本発明は、複数のインペラを有する送風機に関する。
【０００２】
【従来の技術】
送風機は、市販されている高性能放熱装置の１つである。基本的に、送風機は、高インピーダンスシステム内に設置するのに適している。
【０００３】
送風機の性能が高い場合でも、送風機の寸法および体積を小さくする必要がある。送風機をノート型コンピュータおよびタブレットＰＣなどの小型モバイル電子装置にはめ込む場合、小型化が必須である。
【０００４】
さらに、送風機は、システムの作動中に故障してはならない。実際に、システムを保護するために、送風機が作動しなくなった場合、電源が自動的にオフになる。したがって、故障を回避するために、バックアップ送風機がシステムに追加されている。余分に送風機を追加すると、さらに空間を占有せねばならないので、これは望ましくない。
【０００５】
【発明が解決しようとする課題】
したがって、本発明の目的は、放熱効率を改善するために、複数のインペラを有する送風機を提供することである。
【０００６】
【課題を解決するための手段】
本発明の上記および他の目的を達成するために、複数のインペラを有する送風機を開示する。送風機は、２つの駆動装置と、２つの駆動装置にそれぞれ取り付けられた２つのインペラとを有する。２つのインペラのブレードは、半径方向または軸方向に配置されて、送風機の放熱効率を高めるように重ねられる。
【０００７】
本発明の１つの好適な実施形態では、２つのインペラおよび２つの駆動手段が、１つのケース内に配置されており、その内部で２つのインペラのブレードが軸方向に重なっている。ここでいう軸方向に重なるとは、例えば、円筒座標系において、Ｚ軸方向となる軸方向に見た時に重なって存在することをいう。この２つのインペラの直径は同一である。
【０００８】
本発明の別の好適な実施形態では、２つのインペラおよび２つの駆動手段が、１つのケース内に配置されており、その内部で２つのインペラのブレードが半径方向に重なっている。ここでいう半径方向に重なるとは、例えば、円筒座標系において、中心から半径方向に見た時に重なって存在することをいう。この２つのインペラの直径は異なっている。
【０００９】
本発明のさらなる好適な実施形態では、２つのインペラおよび２つの駆動手段が、１つのケース内に配置されており、その内部で２つのインペラのブレードが斜めに重なっている。この２つのインペラの直径は、同一であっても異なっていてもよい。
【００１０】
本発明の好適な実施形態によれば、インペラを駆動するために少なくとも２つの駆動手段を用いて、少なくとも２つの駆動手段の一方が誤作動してシステム故障を生じる場合のシステム故障を回避している。また、本発明は、回転方向および空気入口の選択などの融通性のある構造パターンを提供する。半径方向に配置された２つの送風機は、送風機の体積を小さくするだけでなく、通過する空気の流量も増加させる。
【００１１】
以上の包括的な説明および以下の詳細な説明は共に例示にすぎず、特許を請求する発明のさらなる説明を行うためのものであることを理解されたい。
【００１２】
本発明をさらに理解できるように、添付図面が組み込まれ、本明細書の一部を構成している。図面は、本発明の実施形態を示し、説明と共に本発明の原理を説明するためのものである。
【００１３】
【発明の実施の形態】
本発明の現時点で好適な実施形態を詳細に示した例が添付図面に示されている。図面および説明において同一または同様な部分を示すために、可能な限り同一の参照番号を使用する。
【００１４】
送風機の体積を減少させる最も簡単な方法は、インペラ構造、駆動手段（モータなど）、および送風機の外ケースを小型化することである。本発明の方法は、多重駆動手段およびインペラを１つのケース内で組み立てて、それに伴い送風機の体積を減少させると共に、１つの駆動手段のみから生じる危険を回避するものである。
【００１５】
本発明の１つの好適な実施形態では、多重駆動手段およびインペラが、１つのケース内に配置され、体積を小さくするためにインペラのブレードが重ねられている。したがって、本発明は、インペラのブレードをどのように重ねるかに焦点を合わせている。
【００１６】
図１Ａは、本発明の１つの好適な実施形態に従った送風機の側部断面図である。図１Ｂは、図１Ａの上部断面図である。本発明の１つの好適な実施形態では、２つの送風機のブレード２０が、軸方向に配置されている。インペラ３０の間は接触を回避するために、それらが分離される間隔が望ましい。図１Ａは、２つの図面に分けられている。上側の図面では、入口が送風機の両側に配置されているのに対して、下側の図面では、１つの入口が送風機の片側に配置されている。回転方向に関して言うと、２つの送風機は、（図３Ａおよび図３Ｂに示されているように）同一方向または逆方向のいずれに回転することもできる。特に、２つの送風機の回転方向が同一であるとすれば、ブレードを図３Ａに示すように構成すればよい。２つの送風機の回転方向が逆であるとすれば、ブレードを図３Ｂに示すように構成すればよい。
【００１７】
図４Ａは、図１Ａにおけるブレードの拡大詳細図である。ブレード構造は、異なったパターン形式を有することができる。たとえば、２つのインペラのブレードが、図４Ｂにおいては斜めに重なっている。図４Ａおよび図４Ｂのどちらも、２つのインペラの直径は同一である。あるいは、２つのインペラのブレードは、半径方向に重なる（図４Ｄ）。図４Ｃにおいては、２つのインペラのブレードが斜めに重なっているが、それに示された２つのインペラは直径が異なっている。
【００１８】
図２Ａは、本発明の別の好適な実施形態に従った送風機の断面図である。図２Ｂは、図２Ａの上部断面図である。本発明の別の好適な実施形態では、２つの送風機のブレード２０が、半径方向に配置されている。２つのインペラ３０の間は接触を回避するために、それらが分離される間隔が望ましい。２つの送風機を半径方向に配置することは、送風機の体積を小さくするだけでなく、通過する空気の流量も増加させる。図２Ａは、２つの図面に分けられている。上側の図面では、入口が送風機の両側に配置されているのに対して、下側の図面では、１つの入口が送風機の片側に配置されている。２つの送風機の回転方向は、（図３Ａおよび図３Ｂに示されているように）同一または逆にすることができる。特に、２つの送風機の回転方向が同一であるとすれば、ブレードを図３Ａに示すように構成すればよい。２つの送風機の回転方向が逆であるとすれば、ブレードを図３Ｂに示すように構成すればよい。
【００１９】
本発明をある好適な実施形態を参照しながらかなり詳細に記載してきたが、他の実施形態も可能である。たとえば、好適な実施形態では、送風機の体積を小さくするために、２つの送風機を軸方向および半径方向に配置しているが、もっと多くの送風機（少なくとも３つの送風機）を軸方向および半径方向に配置して、同じ目的を達成することもできる。したがって、添付された特許請求の範囲および精神は、本明細書に含まれる好適な実施形態の記載に限定されるべきでない。
【００２０】
本発明の好適な実施形態によれば、インペラを駆動するために少なくとも２つの駆動手段を用いて、少なくとも２つの駆動手段の一方の誤作動によって生じるシステム故障を回避している。また、本発明は、回転方向および空気入口の選択などの融通性のある構造パターンを提供する。半径方向に配置された２つの送風機は、送風機の体積を小さくするだけでなく、通過する空気の流量も増加させる。
【００２１】
本発明の特許請求の範囲または精神から逸脱することなく、本発明の構造にさまざまな変更および変化を加えることができることは、当該技術分野の専門家には明らかであろう。以上から、本発明は、添付の特許請求の範囲およびその同等の範囲内に入る限り、本発明の変更および変化を対象として含むものとする。
【００２２】
【発明の効果】
本発明によれば、放熱効率を改善するための複数のインペラを有する送風機を提供することが可能となる。
【図面の簡単な説明】
【図１Ａ】本発明の１つの好適な実施形態に従った送風機の側部断面図である。
【図１Ｂ】図１Ａの上部断面図である。
【図２Ａ】本発明の別の好適な実施形態に従った送風機の側部断面図である。
【図２Ｂ】図２Ａの上部断面図である。
【図３Ａ】本発明の１つの好適な実施形態に従ったブレード構造および回転方向を示す。
【図３Ｂ】本発明の１つの好適な実施形態に従ったブレード構造および回転方向を示す。
【図４Ａ】本発明の１つの好適な実施形態に従った重なりパターンを示す。
【図４Ｂ】本発明の１つの好適な実施形態に従った重なりパターンを示す。
【図４Ｃ】本発明の１つの好適な実施形態に従った重なりパターンを示す。
【図４Ｄ】本発明の１つの好適な実施形態に従った重なりパターンを示す。
【図１Ａ】
2004169681.tif 000003
【図１Ｂ】
2004169681.tif 000004
【図２Ａ】
2004169681.tif 000005
【図２Ｂ】
2004169681.tif 000006
【図３Ａ】
2004169681.tif 000007
【図３Ｂ】
2004169681.tif 000008
【図４Ａ】
2004169681.tif 000009
【図４Ｂ】
2004169681.tif 000010
【図４Ｃ】
2004169681.tif 000011
【図４Ｄ】
2004169681.tif 000012